(57)【要約】【課題】表示される画像と周辺の視野との両方について良好な視認性が得られる単眼型画像表示装置の提供。【解決手段】使用者Ａの一方側の眼の前に画像を表示するための虚像形成部３と、他方の眼の前に、当該他方の眼の光軸ＺＬよりも前記一方の眼側に配置された第１光量調整部２１と、を有する単眼型画像表示装置１００。【選択図】図８
2017198825.tif 000002
【特許請求の範囲】
【請求項１】
使用者の一方側の眼の前に画像を表示するための虚像形成部と、
他方の眼の前に、当該他方の眼の光軸よりも前記一方の眼側に配置された第１光量調整部と、を有する単眼型画像表示装置。
【請求項２】
請求項１に記載の単眼型画像表示装置であって、
前記第１光量調整部は、前記画像が視認される領域に対して上下方向に大きく、左右方向に少なくとも前記領域よりも大きく、前記上下方向と前記左右方向との縦横比が縦長であることを特徴とする単眼型画像表示装置。
【請求項３】
請求項１または２に記載の単眼型画像表示装置であって、
前記一方の眼の前記画像が視認される領域の上下に配置された第２光量調整部を有することを特徴とする単眼型画像表示装置。
【請求項４】
請求項１乃至３の何れか１つに記載の単眼型画像表示装置であって、
前記第１光量調整部及び／または前記第２光量調整部がエレクトロクロミック素子であることを特徴とする単眼型画像表示装置。
【請求項５】
請求項１乃至４の何れか１つに記載の単眼型画像表示装置であって、
前記他方の眼の光軸と、前記第１光量調整部との間に形成された透過部を有することを特徴とする単眼型画像表示装置。
【請求項６】
請求項１乃至５の何れか１つに記載の単眼型画像表示装置であって、
当該単眼型画像表示装置は、前記虚像形成部と前記第１光量調整部とを支持する眼鏡形状の筐体を有することを特徴とする単眼型画像表示装置。
【発明の詳細な説明】
【技術分野】
【０００１】
本発明は、単眼型画像表示装置に関する。
【背景技術】
【０００２】
使用者の頭部に装着されて眼前に透過型のディスプレイを配置して、使用者の周辺に存在する各種情報に関連した映像を表示する眼鏡型の画像表示装置が知られている。
このような画像表示装置においては、使用中にも使用者の視界を妨げないように、一方の眼のみに画像を表示して、残る他方の眼で視界を確保する、所謂単眼型画像表示装置が知られている（例えば特許文献１〜７等参照）。
【０００３】
単眼型画像表示装置においては、画像表示側の眼と、画像を表示しない側の眼とで見ているものが異なるために、特に屋外での使用においては左右の画像の輝度の差によって両眼視野闘争が生じやすく、表示される画像の視認性の悪化が問題となっている。
かかる問題を解決するために、表示される画像と、外光との輝度の差を抑える技術として、外光を遮るための遮光部を設ける構成が提案されている。
しかしながら、屋外での使用のような極端に輝度差がある場合には、両眼視野闘争を抑えるために外光の透過率を低くせざるを得ず、単に遮光部で外光を遮るだけでは周辺の視野の視認性が低下してしまう問題がある。
【発明の概要】
【発明が解決しようとする課題】
【０００４】
本発明は、以上のような問題点に鑑みてなされたものであり、表示される画像と周辺の視野との両方について良好な視認性が得られる単眼型画像表示装置の提供を目的とする。
【課題を解決するための手段】
【０００５】
上述した課題を解決するため、本発明の単眼型画像表示装置は、使用者の一方側の眼の前に画像を表示するための虚像形成部と、他方の眼の前に、当該他方の眼の光軸よりも前記一方の眼側に配置された第１光量調整部と、を有する。
【発明の効果】
【０００６】
本発明の単眼型画像表示装置によれば、表示される画像と周辺の視野との両方について良好な視認性が得られる。
【図面の簡単な説明】
【０００７】
【図１】本発明の実施形態に係る画像表示装置の全体構成の一例を示す図である。
【図２】図１に示した画像表示装置の装着例を示す平面図である。
【図３】本発明の実施形態に係るエレクトロクロミック素子の構成の一例を示す断面図である。
【図４】図３に示したエレクトロクロミック素子に電圧を印加したときの透過率の変化の一例を示す図である。
【図５】一般的な単眼型画像表示装置の見え方の一例を示す概念図である。
【図６】単眼型画像表示装置の従来例の構成を示す図である。
【図７】外光が強いときの従来の単眼型画像表示装置の見え方を示す模式図である。
【図８】本発明の実施形態に係る画像表示装置の構成の一例を示す平面図である。
【図９】本発明の実施形態に係る画像表示装置の構成の一例を示す斜視図である。
【図１０】本発明の実施形態に係る第１光量調整部の一例を示す概略図である。
【図１１】本発明の実施形態に係る使用者の視界の一例を示す平面図である。
【図１２】本発明の実施形態に係る有効視野角の測定方法の一例を示す模式図である。
【図１３】本発明の第２の実施例に係る画像表示装置の構成の一例を示す平面図である。
【図１４】本発明の第３の実施例に係る第１光量調整部の一例を示す図である。
【図１５】本発明の第３の実施例に係る第１光量調整部の使用者による変化の一例を示す図である。
【図１６】本発明の比較例に係る遮光部材の構成の一例を示す図である。
【発明を実施するための形態】
【０００８】
本発明の第１の実施形態の一例として図１に単眼型画像表示装置たる頭部装着ディスプレイとしての画像表示装置１００の概略構成を示す。
なお、以降の説明では、使用者Ａの前方方向をＺ方向とし、Ｚ方向に垂直な方向のうち、鉛直上方をＹ方向、Ｚ方向とＹ方向とに垂直な方向である水平方向をＸ方向とする。
【０００９】
画像表示装置１００は、本実施形態では使用者Ａの頭部に装着される眼鏡型の視認装置である。
画像表示装置１００は、使用者Ａの頭部に装着される眼鏡形状の筐体たる筐体部１０１と、使用者Ａの−Ｘ側の眼、本実施形態では右眼の前に画像を表示するための虚像形成部たる画像表示部３と、画像を出力するための投影手段たる画像出力部１と、を有している。
画像表示装置１００は、図２に示すように、使用者Ａの左眼の前に配置された第１光量調整部２１と、右眼の前に、画像表示部３によって形成された虚像の上下を覆う第２光量調整部２２と、を有している。
筐体部１０１は、使用者Ａの左右の眼前に形成された透明な前面部１０１ａと、前面部１０１ａに取り付けられ、使用者Ａの頭部に少なくとも一部が当接して前面部１０１ａを支持する側面部１０１ｂと、を有している。
【００１０】
画像出力部１は、筐体１０１の使用者Ａの右眼側に取り付けられて、画像を投射するための投射型光学系を備えた画像投射装置である。
【００１１】
画像表示部３は、画像出力部１から出射された画像を一方の眼たる右眼に向けて反射する反射板３１を有している。
使用者Ａは、反射板３１によって反射された画像を、図２に示した画像領域Ｗの範囲内に存在する虚像として認識する。したがって、画像表示部３は、虚像形成部としての機能を有している。言い換えると、画像領域Ｗは、一方の眼たる右眼に画像が視認される領域である。
なお、反射板３１は本実施形態では非透過型のミラーを用いたが、透過型のハーフミラーであっても良い。その場合には、後述する第２光量調整部２２が、反射板３１の＋Ｚ方向側の壁面に配置されることがより望ましい。
【００１２】
第１光量調整部２１と、第２光量調整部２２とは、本実施形態では何れも筐体部１０１に取り付けられたエレクトロクロミック素子を用いた調光フィルターである。
第１光量調整部２１と、第２光量調整部２２とは、電圧を印加されることで透過率を制御する透過率制御手段であり、使用者Ａの眼Ｅに到達する外部光Ｌ’の光量を制御する光量制御手段である。
なお、本実施形態では第１光量調整部２１と、第２光量調整部２２とは、エレクトロクロミック素子を用いるとしたが、例えば偏光板や遮光板のような、外光Ｌ’の光量を抑える部材であっても良い。また、フォトクロミック素子や液晶素子のように、光学的又は電気的制御により光量を調整する部材であっても良い。
なお、エレクトロクロミック素子は、フォトクロミック素子より光量調整の応答性に優れ、液晶素子に比べて、光透過率が広い範囲での光量調整が可能で、屋外でも日陰のところや直射日光が当たるところでも良好な視認性を確保することができる。
かかる第１光量調整部２１と、第２光量調整部２２とは、配置場所が異なっているが、構成については略同一であるため、以下の説明においては、第１光量調整部２１についてのみ説明し、第２光量調整部２２については適宜説明を省略する。
【００１３】
第１光量調整部２１は、図３に断面を示すように、最も−Ｚ方向側に形成されたガラス基板４１と、ガラス基板４１に対向して最も＋Ｚ方向側の反対側の面に設けられた対向基板４５と、ガラス基板４１と対向基板４５との間に形成された表示層４３と、を有している。
第１光量調整部２１は、表示層４３と対向基板４５との間に設けられた空隙層４６と、表示層４３とガラス基板４１との間に設けられた酸化チタン粒子層４２と、ガラス基板４１と対向基板４５とを連結して間隔を規定するスペーサ４４と、を有している。
【００１４】
空隙層４６は、周囲を表示層４３と、対向基板４５と、スペーサ４４とに囲まれた空間であり、空隙層４６の内部には、電解液が満たされている。
本実施形態では、電解液として、１−エチル−３−メチルイミダゾリウム・テトラシアノボレートを用いているが、特にかかる構成に限定されるものではない。
また、液体の電解質以外にも、ゲル状の電解質やポリマー電解質等の固体であっても良い。
【００１５】
ガラス基板４１は、１５０ｍｍ×８０ｍｍ程度のＩＴＯ導電膜付きフィルム基板である。
酸化チタン粒子層４２は、酸化チタンナノ粒子分散液を塗布されて形成された酸化チタン粒子の層である。
表示層４３は、後述するエレクトロクロミック化合物によって形成されるエレクトロクロミック層であり、±Ｚ方向の両面間に印加される電位差により、エレクトロクロミック化合物の還元反応が生じ吸収波長帯が変化して発色あるいは消色する。すなわち、透過する光束のスペクトル、強度が変化するので光量が変化する。言い換えると、表示層４３の両面に印加される電圧に応じて、外部光Ｌ’の透過率が任意に変化する。
【００１６】
エレクトロクロミック化合物は、下記の構造式（化１）で示される化合物である。かかるエレクトロクロミック化合物の１ｗｔ％２，２，３，３−テトラフロロプロパノール溶液を塗布液として、酸化チタン粒子層４２上にスピンコート法によって塗布されることで、エレクトロクロミック化合物の層が形成される。
【００１７】
【化１】
2017198825.tif 000003
【００１８】
さらに、１２０℃程度の温度で略１０分間アニール処理される加熱工程を経ることで、酸化チタン粒子層４２の表面にエレクトロクロミック化合物が吸着した表示層４３が形成される。
【００１９】
第１光量調整部２１は、かかるガラス基板４１、酸化チタン粒子層４２、表示層４３、空隙層４６等の各層の作用によって、外部光Ｌ’の透過率を電気信号によって制御するエレクトロクロミックデバイスである。
本実施形態では、第１光量調整部２１は、印加される電圧に応じて、図４に示すように、全光透過率を２〜８０％の間の任意の数値に切り替えられる。第２光量調整部２２も同様である。
【００２０】
なお、酸化チタン粒子層４２は、酸化チタンに限定されるものではなく、酸化アルミニウム、酸化亜鉛、シリカ、酸化セシウム、酸化イットリウムなどであってもよい。
【００２１】
かかる画像表示装置１００を用いて、使用者Ａが外部の様子を確認しながら画像表示装置１００に表示される情報を読み取る方法について述べる。
【００２２】
一般に、使用者Ａの右眼と左眼とで認識される画像を別個の画像として表すと、左眼には図５（ａ）に示すように表示され、右眼には図５（ｂ）に示すように表示される。
通常、人間の眼は、かかる左右の異なる画像を合成して視野を形成するので、このように画像表示装置１００を用いたときには、図５（ｃ）に示されるように、左右の画像が合成された態様で、１枚の画像として認識される。
【００２３】
ところで、図６に示すような従来の画像表示装置５００において、特に屋外での使用を想定するときには、画像表示装置５００が表示する画像の光Ｌよりも、外光Ｌ’の光量が非常に強い。人間の眼は、左右を完全に合成するわけではなく、左右の眼の両方の視界に入っている部分においては、どちらかの眼が主として、視界に見えるものを認識する。したがって、外光Ｌ’が強い状況では、右眼に認識される画像が、図７に示すように、左右の眼のコントラスト差によって非常に見え難い状態になることがある。このような状態を指して以降の説明では両眼視野闘争状態という。
【００２４】
このような両眼視野闘争状態を防ぐために、画像の輝度を向上させて左右のコントラスト差を抑制する方法が考えられる。しかしながら、画像の輝度の上昇は、バックライトの出力や印加する電圧の増大を招き、コストアップや大型化につながってしまう虞がある。
また、画像を表示しない側の眼に遮光部材を取り付けて、外光の光量を抑制する方法も考えられるが、外光Ｌ’の光量を下げることは、屋外活動時の視認性の低下につながる虞がある。
【００２５】
このような問題に鑑みて、本実施形態では、第１光量調整部２１を用いて、画像領域Ｗの、特に視認性に大きく影響する部分のみの光量を制限することで、表示される画像と周辺の視野との両方について良好な視認性を得る。
【００２６】
かかる第１光量調整部２１の配置について図２、図８、図９を用いて具体的に述べる。なお、図８は、図２に示した画像表示装置１００を−Ｚ方向から見た模式図であり、図９は、使用者Ａの視野を模式的に示した図である。
画像出力部１が、画像を投射すると、既に述べたように使用者Ａは、かかる画像を画像領域Ｗ内にある虚像として認識する。なお、ここで視認される画像領域Ｗの上下方向の長さすなわち縦方向の長さをＹｗ、横方向の長さをＸｗとする。また、第１光量調整部２１を左眼で見たときの縦方向の長さをＹ１、横方向の長さをＸ１とする。
第１光量調整部２１は、左眼で視認したとき投影される部分の大きさが画像領域Ｗに対して上下方向に大きく（Ｙ１＞Ｙｗ）、左右方向に画像領域Ｗと略同一であって（Ｘ１≒Ｘｗ）、上下方向と左右方向との縦横比が縦長の形状である。
なお、第１光量調整部２１は、図９に模式的に示しているように、虚像である画像領域Ｗが認識される位置に投影されるので、図８に示す第１光量調整部２１の実際のＸ方向の幅Ｘ２１、Ｙ方向の幅Ｙ２１、よりも大きくなる。
【００２７】
さらに屋外においては、最も強い光源である太陽は使用者Ａよりも上にあり、地面からの照り返しもあるために、図１０（ａ）に示すように、上下方向からの外光Ｌ’の光量が比較的大きい。
第１光量調整部２１の縦横比が縦長であれば、図１０（ｂ）に示すように、強い上下方向からの外光Ｌ’を遮蔽し、光量が抑制されるので、画像出力部１によって出力される画像の視認性がさらに向上する。
【００２８】
さらに、第１光量調整部２１は、左右方向に画像領域Ｗと略同一である（Ｘ１≒Ｘｗ）。ここで略同一とは、虚像である画像領域Ｗについて、左右方向に画像領域Ｗを覆う程度の長さを示している。
かかる構成により、必要以上に外光Ｌ’を遮ることがなく、視野全体の視認性が向上する。
また、第１光量調整部２１は、画像領域Ｗが視認される面内において、左右方向について少なくとも画像領域Ｗよりも大きい幅を有していればよく、略同一であることに限定されるものではない。
【００２９】
第１光量調整部２１は、左眼の中心を通る光軸ＺＬよりも右眼側つまり−Ｘ方向側に配置されている。特に本実施形態では、画像表示装置１００は、第１光量調整部２１の＋Ｘ方向側の端部と、光軸ＺＬとの間に形成された空隙たる透過部２３を有している。
かかる透過部２３は、画像表示装置１００の筐体部１０１にあって、使用者Ａの眼前に配置された前面部１０１ａの一部であり、外光Ｌ’を遮蔽することなく透過する部分である。
【００３０】
このように透過部２３を配置することの効果について、詳しく説明する。
既に説明したように、第１光量調整部２１は、左眼で視認したとき投影される部分の大きさが画像領域Ｗに対して上下方向に大きく（Ｙ１＞Ｙｗ）、左右方向に画像領域Ｗと略同一である。
このような視野を想定すると、図１１（ａ）に示す左眼で認識した視野と、図１１（ｂ）に示す右眼で認識した視野と、が、図１１（ｃ）に示すように合成されて、表示したい画像領域Ｗの周囲に外光Ｌ’が遮蔽された領域が形成される。
このように、第１光量調整部２１によって周辺の外光Ｌ’の光量を抑制することができるので、画像領域Ｗの視認性が向上する。
【００３１】
また、このように第１光量調整部２１が、左眼の光軸ＺＬよりも右眼側に配置されることによって、左眼の光軸ＺＬの中心の周辺部分においては外光Ｌ’の光量が遮蔽されない。
かかる構成により、画像表示装置１００を装着していない側の眼の視認性が低下することを防ぎながらも、画像領域Ｗの視認性が向上する。
【００３２】
また、第２光量調整部２２は、画像領域Ｗの縦方向たるＹ方向の上下に、画像領域Ｗを挟み込むように配置されている。かかる構成により、図１０（ａ）に既に示したように、光量の比較的大きい上下方向からの外光Ｌ’が右眼に進入することをも抑制するので、より画像領域Ｗの視認性が向上する。
【００３３】
ところで、第１光量調整部２１と第２光量調整部２２との上下方向の幅Ｙ２１、Ｙ２２を決定する際には、図９に示す角θが重要な意味を持つ。角θは、第１光量調整部２１と第２光量調整部２２とのそれぞれの上端部と、眼Ｅの中心と、第１光量調整部２１と第２光量調整部２２とのそれぞれの下端部と、のなす角である。
かかる角θは、使用者Ａの有効視野角に眼球運動の上下回転角を加算した角度以上であることが望ましい。
なお、有効視野角とは、図１２に示すように、目線を眼球の光軸ＺＬと一致するように正面を向けたとき、眼球を動かすことなく、前方の文字の判読や物体の認識が出来る視野角、安定注視野θ⊥を表している。
本実施形態におけるＹ方向の有効視野角は、目線の正面を中心として、Ｘ方向とＹ方向に一定距離ごとに目盛りをつけた板を、使用者Ａの５０ｃｍ先に配置して、頭部と眼球を動かすことなく目盛りの数字が判別可能な角度を有効視野角とした。
かかる有効視野角は、発明者が上記測定方法で２０名に対して測定した結果、Ｙ方向の有効視野角は約２０度であった。
【００３４】
また、眼球運動の上下回転角は、無理のない上下の眼球運動の範囲を示しており、生理学的には３０度〜４０度の範囲であることが知られている。
したがって、本実施形態における角θは、目線の中心たる左眼の光軸ＺＬからＹ方向に５０度〜６０度以上であることがより望ましい。
具体的には、第１光量調整部２１と第２光量調整部２２とのそれぞれの上下方向の幅Ｙ２１、Ｙ２２は、角膜の頂点から第１光量調整部２１と第２光量調整部２２とまでの距離を３０ｍｍと仮定すると、２８ｍｍ〜３５ｍｍの範囲が最も望ましい。
また、透過部２３は、Ｘ方向の幅Ｘ２３が左右の有効視野角によって決まることが望ましく、同上の仮定においてはＸ２３＝２０ｍｍ程度が好ましい。
【００３５】
以下、かかる画像表示装置１００の具体的な実施例として、実施例１〜３を示す。
【００３６】
＜実施例１＞
第１光量調整部２１として、上下方向の幅Ｙ２１＝３０ｍｍ、左右方向の幅Ｘ２１＝２０ｍｍのエレクトロクロミック素子を用い、第２光量調整部２２として、画像表示部３の上下にそれぞれ上下方向の幅Ｙ２２＝１０ｍｍ、左右方向の幅Ｘ２２＝２５ｍｍのエレクトロクロミック素子を用いた。また、画像表示部３にＷｅｓｔＵｎｉｔｉｓ社製ＩｎｆｏＬｉｎｋｅｒを用いて、筐体部１０１に山本光学製Ｎｏ．３３８を用いて画像表示装置１００を構成した。
かかる画像表示部３には、白色背景に２０ポイントの黒色文字画像を表示した。
【００３７】
かかる構成の第１光量調整部２１について、発色時は２Ｖの電圧を５秒間印加し、消色時は逆極性の０．５Ｖの電圧を５秒間印加するとして、屋外及び屋内で視認性を確認した。なお、第１光量調整部２１の透過率は、発色時で１０％、消色時は７５％であった。
【００３８】
照度１０００Ｌｘの室内で、使用者Ａが画像表示装置１００を装着して周囲を見渡しながら画像領域Ｗに表示されている文字を読んだ。
第１光量調整部２１と第２光量調整部２２との透過率が何れも７５％のときには、画像領域Ｗに表示された文字が左右視野闘争を起こして見難かったが、透過率１０％に設定したときには、画像領域Ｗの文字の視認性が向上した。
同様に、照度３５０００Ｌｘの晴天の屋外で、周囲を見渡しながら画像領域Ｗに表示されている文字を読んだ。
第１光量調整部２１と第２光量調整部２２との透過率が何れも７５％のときには、画像領域Ｗに表示された文字が左右視野闘争を起こして見難かったが、透過率１０％に設定したときには、画像領域Ｗの文字の視認性が向上した。
【００３９】
＜実施例２＞
図１３に示すように、第１光量調整部２１として、上下方向の幅Ｙ２１＝３０ｍｍ、左右方向の幅Ｘ２１＝２０ｍｍのエレクトロクロミック素子を用いた。実施例１とは、第２の光量調整部２２を備えていない点で異なるが、その他の構成は実施例１と同様に画像表示装置１００を構成した。
かかる構成の第１光量調整部２１について、発色時は２Ｖの電圧を５秒間印加し、消色時は逆極性の０．５Ｖの電圧を５秒間印加するとして、屋外及び屋内で視認性を確認した。なお、第１光量調整部２１の透過率は、発色時で１０％、消色時は７５％であった。
【００４０】
照度１０００Ｌｘの室内で、使用者Ａが画像表示装置１００を装着して周囲を見渡しながら画像領域Ｗに表示されている文字を読んだ。
第１光量調整部２１の透過率が７５％のときには、画像領域Ｗに表示された文字が左右視野闘争を起こして見難かったが、透過率１０％に設定したときには、画像領域Ｗの文字の視認性が向上した。
同様に、照度４０００Ｌｘの曇り空の屋外で、周囲を見渡しながら画像領域Ｗに表示されている文字を読んだ。
第１光量調整部２１の透過率が７５％のときには、画像領域Ｗに表示された文字が左右視野闘争を起こして見難かったが、透過率１０％に設定したときには、画像領域Ｗの文字の視認性が向上した。
また、室内でも屋外でも、周囲の視界は塞がることはなく、周囲の状況を視認することができた。
【００４１】
＜実施例３＞
第１光量調整部２４として、上下方向の幅Ｙ２１＝３０ｍｍ、左右方向の幅Ｘ２１＝２０ｍｍのエレクトロクロミック素子を用い、第２光量調整部２２として、画像表示部３の上下にそれぞれ上下方向の幅Ｙ２２＝１０ｍｍ、左右方向の幅Ｘ２２＝２５ｍｍのエレクトロクロミック素子を用いた。また、画像表示部３にＷｅｓｔＵｎｉｔｉｓ社製ＩｎｆｏＬｉｎｋｅｒを用いて、筐体部１０１に山本光学製Ｎｏ．３３８を用いて画像表示装置１００を構成した。使用者Ａの眼から前方の前面部１０１ａまでの距離は約２５ｍｍであった。
かかる画像表示部３には、白色背景に２０ポイントの黒色文字画像を表示した。
【００４２】
本実施例における第１光量調整部２４は、図１４に示すように、互いに独立して透過率を制御可能な１０の短冊状の遮光部２４ａ〜２４ｊを有している。なお、ここでは第１光量調整部２４を１０等分する短冊状として図示したが、かかる構成に限定されるものではなく、複数の部分に分割して、互いに独立して透過率を制御できる構成であれば良い。
遮光部２４ａ〜２４ｊは何れも印加される電圧によって透過率が制御可能なエレクトロクロミック素子である。
本実施例では特に、遮光部２４ａ〜２４ｊで共通の上部電極２４１と、各遮光部２４ａ〜２４ｊに取り付けられて互いに独立した下部電極２４２と、の間に印加する電圧を制御するような構成として図示する。
なお、短冊状の遮光部２４ａ〜２４ｊにはそれぞれ複数の下部電極２４２が取り付けられており、５０本の下部電極２４２のうち、中心付近の４０本の下部電極２４２は常に遮光し、残る１０本を用いて後述する個人差の制御を行った。
ところで、使用者Ａと、他の使用者Ｂとの間では、特に左右のＸ方向の視野において、第１光量調整部２４が投影される位置には個人差が大きい。
そこで、本実施例のように、第１光量調整部２４のうち、透過率を下げる部分の位置を個人差によって調整可能であることが望ましい。
かかる構成により、使用者Ａが用いる際には、遮光部２４ａ〜２４ｊのうち、画像領域Ｗに相当する部分である遮光部２４ｃ〜２４ｉについてのみ透過率を下げて光量を制御することで、容易に画像の視認性が向上する。
他方、図１５に示すように、使用者Ｂが用いる際には、使用者Ａとは視野内における画像領域Ｗに相当する部分が異なるので、遮光部２４ｂ〜２４ｈについてのみ透過率を下げて光量を制御することで、画像の視認性が向上する。
このように、Ｘ方向について使用者Ａ、使用者Ｂそれぞれの個人差によって異なる視野上の画像領域Ｗに対して最適な位置にあわせて第１光量調整部２４の遮光部の位置を変化させることで、視界の視認性を下げることなく画像の視認性が向上する。  なお、かかる構成以外については、実施例１の画像表示装置１００と同様であるので説明を省略する。
照度１０００Ｌｘの室内で、使用者Ａが画像表示装置１００を装着して周囲を見渡しながら画像領域Ｗに表示されている文字を読んだ。
第１光量調整部２１の透過率が７５％のときには、画像領域Ｗに表示された文字が左右視野闘争を起こして見難かったが、透過率１０％に設定したときには、画像領域Ｗの文字の視認性が向上した。
同様に、照度３５０００Ｌｘの晴天の屋外で、周囲を見渡しながら画像領域Ｗに表示されている文字を読んだ。
第１光量調整部２１の透過率が７５％のときには、画像領域Ｗに表示された文字が外光の影響で見難かったが、透過率１０％に設定したときには、画像領域Ｗの文字の視認性が向上した。
また、室内でも屋外でも、周囲の視界は塞がることはなく、周囲の状況を視認することができた。さらに、遮光部２４ａ〜２４ｊの光透過率を独立して使用者に合わせて調整することにより、どの使用者に対しても個人差の影響なく画像領域Ｗの文字の視認性が向上した。
【００４３】
＜比較例１＞
画像表示装置４００は、図１６（ａ）、（ｂ）に示すように、画像領域Ｗにおいて、画像領域Ｗと略同一の大きさになるような遮光部材４０１と、画像領域Ｗに画像を表示するための画像表示部３と、を有している。
かかる構成の画像表示装置４００を用いて、照度３５０００Ｌｘの晴天の屋外で、周囲を見渡しながら画像領域Ｗに表示されている文字を読んだ。
遮光部材４０１の透過率が１０％のときにも、直射日光や照り返しなどの外光Ｌ’によって文字の視認性が低下した。
【００４４】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００４５】
例えば、上記実施形態においては、第１光量調整部と第２光量調整部とを両方有する構成についてのみ述べたが、第１光量調整部のみを有する構成であっても良い。
【００４６】
また、上記実施形態においては、眼鏡型の画像表示装置について述べたが、その他の構成であっても良い。また、単眼型の画像表示部は、どちらの眼についていても良い。
【００４７】
本発明の実施の形態に記載された効果は、本発明から生じる最も好適な効果を列挙したに過ぎず、本発明による効果は、本発明の実施の形態に記載されたものに限定されるものではない。
【符号の説明】
【００４８】
３          虚像形成部（画像表示部）
２１        第１光量調整部
２２        第２光量調整部
２３        透過部
２４        第１光量調整部
１００      単眼型画像表示装置（画像表示装置）
１０１      筐体部
Ｗ          画像が視認される領域（画像領域）
ＺＬ        他方の眼の光軸
ＺＲ        一方の眼の光軸
【先行技術文献】
【特許文献】
【００４９】
【特許文献１】特許第３７１７６５３号公報
【特許文献２】特許第４８１７４２５号公報
【特許文献３】特許第４３６６９４４号公報
【特許文献４】特許第３３７１１５６号公報
【特許文献５】特開２００５−２８４００７号公報
【特許文献６】特開２００４−２８０１２７号公報
【特許文献７】特開Ｈ０８−１９４１８６号公報
【図１】
2017198825.tif 000004
【図２】
2017198825.tif 000005
【図３】
2017198825.tif 000006
【図４】
2017198825.tif 000007
【図５】
2017198825.tif 000008
【図６】
2017198825.tif 000009
【図７】
2017198825.tif 000010
【図８】
2017198825.tif 000011
【図９】
2017198825.tif 000012
【図１０】
2017198825.tif 000013
【図１１】
2017198825.tif 000014
【図１２】
2017198825.tif 000015
【図１３】
2017198825.tif 000016
【図１４】
2017198825.tif 000017
【図１５】
2017198825.tif 000018
【図１６】
2017198825.tif 000019